(57)【要約】【課題】正確な運賃収受を容易に行なうことができる改札システム及び改札方法を提供する。【解決手段】改札機２は、利用者が所持している情報記憶媒体７に記憶されている識別情報を読み取り、当該改札機２が設置されている駅の情報と当該改札機２が前記情報記憶媒体７を読み取った日時の情報と前記第１の読取手段により読み取った前記識別情報とをアクセス情報としてサーバ６へ送信する。前記サーバ６は、前記改札機２から受信した前記アクセス情報をデータベース６６に記憶する。前記情報記憶媒体処理機１は、利用者が所持している情報記憶媒体７に記憶されている識別情報を読み取り、前記第２の読取手段により読み取った識別情報を含むアクセス情報を前記サーバ６から取得する。【選択図】      図１
2008257283.tif 000002
【特許請求の範囲】
【請求項１】
改札機とサーバと情報記憶媒体処理機とを備える改札システムであって、
前記改札機は、
利用者が所持している情報記憶媒体に記憶されている識別情報を読み取る第１の読取手段と、
当該改札機が設置されている駅の情報と当該改札機が前記情報記憶媒体を読み取った日時の情報と前記第１の読取手段により読み取った前記識別情報とをアクセス情報としてサーバへ送信する送信手段と、を備え、
前記サーバは、
前記改札機から受信した前記アクセス情報をデータベースに記憶する記憶手段を備え、
前記情報記憶媒体処理機は、
利用者が所持している情報記憶媒体に記憶されている識別情報を読み取る第２の読取手段と、
前記第２の読取手段により読み取った識別情報を含むアクセス情報を前記サーバから取得するアクセス情報取得手段と、
を備えることを特徴とする改札システム。
【請求項２】
前記改札機は、
前記情報記憶媒体に当該改札機を通行したことを示す通行情報を書き込む書込手段と、
前記書込手段による前記情報記憶媒体への前記通行情報の書き込みが未完了である場合、前記情報記憶媒体への前記通行情報の書き込みが未完了であったことを前記サーバへ通知する通知手段と、をさらに備え、
前記サーバの記憶手段は、前記改札機から前記通行情報の書き込みが完了していないという通知を受信した場合、前記改札機から受信した前記アクセス情報に対応付けて通行情報の書き込みが未完了であったことをデータベースに記憶することを特徴とする前記請求項１記載の改札システム。
【請求項３】
前記情報記憶媒体処理機は、前記アクセス情報取得手段により取得した前記アクセス情報を表示する表示手段をさらに備えることを特徴とする前記請求項１記載の改札システム。
【請求項４】
前記情報記憶媒体処理機は、前記アクセス情報取得手段により取得した前記アクセス情報に基づいて精算処理を行なう精算手段をさらに備えることを特徴とする前記請求項１記載の改札システム。
【請求項５】
サーバと複数の改札機とを備える改札システムであって、
前記サーバは、
駅情報とアクセス日時と情報記憶媒体の識別情報とを含むアクセス情報を記憶する記憶手段を備え、
前記改札機は、
利用者が所持している情報記憶媒体に記憶されている通行情報と識別情報とを読み取る読取手段と、
前記読取手段により読み取った通行情報が正当であるか否かを判定する通行情報判定手段と、
前記通行情報判定手段により通行情報が正当ではないと判定した場合、前記読取手段により読み取った前記識別情報を含むアクセス情報を前記サーバから取得するアクセス情報取得手段と、
前記アクセス情報取得手段により取得した前記アクセス情報に基づいて通行の可否の判定を行なう通行判定手段と、
を備えることを特徴とする改札システム。
【請求項６】
前記改札機は、
当該改札機が設置されている駅情報と当該改札機が前記情報記憶媒体を読み取ったアクセス日時と前記情報記憶媒体より読み取った前記識別情報とをアクセス情報としてサーバへ送信する送信手段をさらに備え、
前記サーバの記憶手段は、
前記改札機から受信した前記アクセス情報をデータベースに記憶することを特徴とする前記請求項５記載の改札システム。
【請求項７】
前記改札機は、前記通行判定手段による判定結果を表示する表示手段をさらに備えることを特徴とする前記請求項５記載の改札システム。
【請求項８】
前記改札機は、前記アクセス情報取得手段により取得した前記アクセス情報に基づいて精算処理を行なう精算手段をさらに備えることを特徴とする前記請求項５記載の改札システム。
【請求項９】
改札機とサーバと情報記憶媒体処理機とを備える改札方法であって、
前記改札機は、
利用者が所持している情報記憶媒体に記憶されている識別情報を読み取り、
当該改札機が設置されている駅の情報と当該改札機が前記情報記憶媒体を読み取った日時の情報と読み取った前記識別情報とをアクセス情報としてサーバへ送信し、
前記サーバは、
前記改札機から受信した前記アクセス情報をデータベースに記憶し、
前記情報記憶媒体処理機は、
利用者が所持している情報記憶媒体に記憶されている識別情報を読み取り、
読み取った当該識別情報を含むアクセス情報を前記サーバから取得する、
ことを特徴とする改札方法。
【請求項１０】
サーバと複数の改札機とを備える改札方法であって、
前記サーバは、
駅情報とアクセス日時と情報記憶媒体の識別情報とを含むアクセス情報を記憶し、
前記改札機は、
利用者が所持している情報記憶媒体に記憶されている通行情報と識別情報とを読み取り、
前記読取手段により読み取った通行情報が正当であるか否かを判定し、
前記通行情報判定手段により通行情報は正当ではないと判定した場合、前記読取手段により読み取った前記識別情報を含むアクセス情報を前記サーバから取得し、
前記アクセス情報取得手段により取得した前記アクセス情報に基づいて通行の可否の判定を行なう、
ことを特徴とする改札方法。
【発明の詳細な説明】
【技術分野】
【０００１】
この発明は、例えば、識別情報を有する情報記憶媒体に対して改札を行なう改札システム及び改札方法に関する。
【背景技術】
【０００２】
鉄道各社の駅には各種の駅務処理を行なう駅務機器が設置されている。このような駅務機器では、入場券、定期券、乗車券、ストアードフェアカード（ＳＦカード）として用いられる情報記憶媒体に対して種々の処理を行なうようになっている。
【０００３】
特に近年、自動改札機の普及に伴い、無人駅にも自動改札機が設置されるようになってきている。無人駅に自動改札機が設置された場合、自動券売機の故障等により利用者（旅客）が乗車券を購入できない可能性がある。そこで、無人駅には利用者が自動改札機を通過するための乗車駅証明券を発行する乗車駅証明券発行機が設置されている。
【０００４】
しかし、乗車駅証明券発行機を導入する為には設備コストがかさむという問題がある。また、利用者は、乗車駅証明券発行機を経由して自動改札機を通過しなければならない為、大変手間であるという問題がある。そこで、情報記憶媒体に改札を行ない、総合判定異常となった場合、乗車証明書を発券することができる自動改札機がある（例えば、特許文献１参照）。
【０００５】
また、近年、情報記憶媒体として、駅務機器と無線でデータの送受信を行なうことにより、処理を受けることができるＩＣ（Ｉｎｔｅｇｒａｔｅｄ  Ｃｉｒｃｕｉｔ）を有した非接触型ＩＣカード、又は、携帯電話などが普及しつつある。ＩＣを有した情報記憶媒体には、ＳＦデータ（残額情報等）、および、定期券情報などを記録することが出来る。この情報記憶媒体に記録されているＳＦデータ、若しくは、定期券情報に基づいて、改札処理などが行われる。
【０００６】
このような、ＩＣカードを用いた改札処理では、まず、ＩＣカードから識別情報、定期券情報、及び残額情報などの情報を読み取り、読み取った情報に基づいて通行の可否を判定する。例えば、入場（乗車）を許可すると判定した場合、自動改札機では、入出場情報（通行情報）をＩＣカードに書き込むようになっている。このような改札処理を行なう自動改札機では、入出場情報をＩＣカードに書き込む前に利用者がＩＣカードを改札機から離してしまったり、総合判定異常であるにも係らず利用者が改札を通過してしまったりした場合、ＩＣカードに入出場情報が書き込まれない可能性がある。このような場合、出場（降車）駅の改札機では、入出場情報が無いために、出場が不可となる。
【０００７】
この場合、利用者は、降車駅の駅係員により降車駅を含む社局の最も遠い駅からの乗車料金が請求されることになり、利用者と駅係員との間で乗車料金についてのトラブルが生じるという可能性がある。また、利用者の申告に基づいて乗車料金を精算する場合、利用者が虚偽の乗車区間を申告し、鉄道会社が不利益を被るという可能性もある。
【特許文献１】特開２００１−２０２５３９号公報
【発明の開示】
【発明が解決しようとする課題】
【０００８】
本発明の一形態は、上記した問題点を解決するものであり、正確な運賃収受を容易に行なうことができる改札システム及び改札方法を提供することにある。
【課題を解決するための手段】
【０００９】
本発明の一実施形態としての改札システムは、改札機とサーバと情報記憶媒体処理機とを備える改札システムであって、前記改札機は、利用者が所持している情報記憶媒体に記憶されている識別情報を読み取る第１の読取手段と、当該改札機が設置されている駅の情報と当該改札機が前記情報記憶媒体を読み取った日時の情報と前記第１の読取手段により読み取った前記識別情報とをアクセス情報としてサーバへ送信する送信手段とを備え、前記サーバは、前記改札機から受信した前記アクセス情報をデータベースに記憶する記憶手段を備え、前記情報記憶媒体処理機は、利用者が所持している情報記憶媒体に記憶されている識別情報を読み取る第２の読取手段と、前記第２の読取手段により読み取った識別情報を含むアクセス情報を前記サーバから取得するアクセス情報取得手段とを備える。
【００１０】
また、本発明の一実施形態としての改札システムは、サーバと複数の改札機とを備える改札システムであって、前記サーバは、駅情報とアクセス日時と情報記憶媒体の識別情報とを含むアクセス情報を記憶する記憶手段を備え、前記改札機は、利用者が所持している情報記憶媒体に記憶されている通行情報と識別情報とを読み取る読取手段と、前記読取手段により読み取った通行情報が正当であるか否かを判定する通行情報判定手段と、前記通行情報判定手段により通行情報が正当ではないと判定した場合、前記読取手段により読み取った前記識別情報を含むアクセス情報を前記サーバから取得するアクセス情報取得手段と、前記アクセス情報取得手段により取得した前記アクセス情報に基づいて通行の可否の判定を行なう通行判定手段とを備える。
【００１１】
また、本発明の一実施形態としての改札方法は、改札機とサーバと情報記憶媒体処理機とを備える改札方法であって、前記改札機は、利用者が所持している情報記憶媒体に記憶されている識別情報を読み取り、当該改札機が設置されている駅の情報と当該改札機が前記情報記憶媒体を読み取った日時の情報と読み取った前記識別情報とをアクセス情報としてサーバへ送信し、前記サーバは、前記改札機から受信した前記アクセス情報をデータベースに記憶し、前記情報記憶媒体処理機は、利用者が所持している情報記憶媒体に記憶されている識別情報を読み取り、読み取った当該識別情報を含むアクセス情報を前記サーバから取得する。
【００１２】
また、本発明の一実施形態としての改札方法は、サーバと複数の改札機とを備える改札方法であって、前記サーバは、駅情報とアクセス日時と情報記憶媒体の識別情報とを含むアクセス情報を記憶し、前記改札機は、利用者が所持している情報記憶媒体に記憶されている通行情報と識別情報とを読み取り、前記読取手段により読み取った通行情報が正当であるか否かを判定し、前記通行情報判定手段により通行情報は正当ではないと判定した場合、前記読取手段により読み取った前記識別情報を含むアクセス情報を前記サーバから取得し、前記アクセス情報取得手段により取得した前記アクセス情報に基づいて通行の可否の判定を行なう。
【発明の効果】
【００１３】
この発明の一形態によれば、正確な運賃収受を容易に行なうことができる改札システム及び改札方法を提供することができる。
【発明を実施するための最良の形態】
【００１４】
まず、この発明の第１実施形態に係る改札システム及び改札方法について図面を参照して説明する。  
図１は、第１実施形態に係る種々の駅務機器から構成される駅務システムの構成例を示す図である。上記駅務システムは、鉄道などの交通機関における種々の駅務処理を行なう種々の駅務機器から構成されるシステムである。上記駅務システムでは、利用者が所持する定期券、乗車券、ＳＦカードとして用いられる情報記憶媒体に記憶されている情報に基づいて、鉄道などの交通機関の利用を可能とするものである。
【００１５】
上記駅務システムは、図１に示すように、窓口端末１、改札機２、券売機３、精算機４、ホストコンピュータ５、サーバ６から構成されている。上記窓口端末１は、駅の窓口などに設置され、駅係員の操作により、上記ＩＣカード７に記録されている情報を更新する。例えば、上記窓口端末１は、利用者の所持する上記ＩＣカード７に記憶されている情報に基づいて精算処理を行なう情報記憶媒体処理機として機能する。
【００１６】
上記改札機２は、駅の改札口などに設置され、改札口で利用者の所持する上記ＩＣカード７に基づく改札処理を行なうものである。例えば、上記改札機２は、上記ＩＣカード７に記憶されている識別情報ＩＤｉと、上記ＩＣカード７を読み取った当該改札機２が設置されている駅の情報（駅名）と、上記ＩＣカード７を読み取った日時（アクセス日時）の情報とを対応付けてアクセス情報として上記サーバ６に送信する。また、上記改札機２は、上記ＩＣカード７に基づく改札処理の処理結果を上記サーバ６に送信する。
【００１７】
上記券売機３は、各駅などに設置され、利用者の操作に応じて、利用者から金額を受領して上記ＩＣカード７を新規に発券したり、上記ＩＣカード７に記録されている情報を更新したりするものである。上記精算機４は、各駅の構内に設置され、利用者の操作に応じて、利用者の所持する上記ＩＣカード７に記憶されている情報に基づいて精算処理を行なう情報記憶媒体処理機として機能する。
【００１８】
上記ホストコンピュータ５は、電鉄会社の管理センタなどに設置されている。上記ホストコンピュータ５は、発行済みの定期券情報に関する情報を管理したり、当該駅務システム内における各駅務機器の運用状況や運用データなどの管理を行なう機能を有している。なお、各駅務機器は、各駅（駅Ａ、駅Ｂ、駅Ｃ、駅Ｄ、駅Ｅ、駅Ｆ・・・）に設置され、駅務システム全体を構成している。このような駅務システムでは、各駅において、利用者に対する駅構内への入場あるいは駅構内からの出場などに関する業務を各駅務機器を用いて実施している。
【００１９】
上記サーバ６は、各駅の上記ホストコンピュータと接続されている。上記サーバ６は、上記改札機２から送信されたアクセス情報と処理結果とを記憶し、管理するものである。例えば、上記サーバ６は、上記識別情報ＩＤｉと、改札駅と、改札日時と、処理結果とを対応付けて記憶するようになっている。
【００２０】
次に、上記改札機２の構成について詳細に説明する。  
図２は、図１に示す改札機２の構成例を示すブロック図である。図２に示すように、上記改札機２は、制御部２１、メモリ２２、通信部２３、ＩＣカード処理部２４、通行制御部２５、及び表示部２６などを有している。
【００２１】
上記制御部２１は、上記改札機２全体の制御を司るものである。上記制御部２１は、ＣＰＵ、上記ＣＰＵの作業領域として機能するバッファメモリ、上記ＣＰＵが実行する種々のプログラムや制御データなどが記憶されているプログラムメモリなどから構成される。上記制御部２１では、ＣＰＵがプログラムを実行することにより種々の機能を実現している。なお、プログラムメモリには、当該改札機２の設置されている駅の情報が記憶されている。上記メモリ２２は、運賃情報などを記憶している。上記通信部２３は、図１に示すホストコンピュータ５を介してサーバ６とデータの通信を行なう為の外部通信ユニットである。
【００２２】
上記ＩＣカード処理部２４は、利用者が所持する情報記憶媒体としてのＩＣカード７を処理するものである。上記ＩＣカード処理部２４では、上記制御部２１からの指示に基づいて、上記ＩＣカード７とデータの送受信を行ない、上記ＩＣカード７の記憶内容を読み取ったり、上記ＩＣカード７にデータを書き込んだりする。上記通行制御部２５は、利用者の通行を制御するものである。上記通行制御部２５は、例えば、利用者の通行を阻止するドア（図示せず）、このドアを制御するドア開閉機構（図示せず）などから構成されている。上記表示部２６は、利用者への案内表示などを表示する表示装置などから構成されており、表示手段として機能するものである。
【００２３】
次に上記制御部２１が有している種々の機能について説明する。  
上記制御部２１は、図２に示すように、読取処理部２１１、通行判定部２１４、書込処理部２１６、および、処理結果送信部２１８などの機能を有している。  
上記読取処理部２１１は、利用者が提示する上記ＩＣカード７に記憶されている情報を読み取る処理を行なう読取手段として機能するものである。たとえば、上記読取処理部２１１は、ＩＣカード７に記憶されているカード固有の識別情報ＩＤｉ、料金の精算に利用可能である残額情報、有効な区間の情報及び有効な期間の情報である定期券情報、および、前回改札処理を受けた駅及び日時の情報である入出場情報（通行情報）などを上記ＩＣカード処理部２４により読み取る処理を行なう。
【００２４】
上記読取処理部２１１は、アクセス情報送信部２１２、および、入出場情報判定部２１３を有している。アクセス情報送信部２１２は、上記ＩＣカード７を改札機２で読み取ったことを示す情報をアクセス情報として上記サーバ６へ送信する送信手段として機能する。例えば、上記アクセス情報送信部２１２は、当該改札機２が設置されている駅名と当該改札機２が上記ＩＣカード７を読み取ったアクセス日時と読み取った上記識別情報ＩＤｉとをアクセス情報として上記サーバ６へ送信する。
【００２５】
上記入出場情報判定部２１３は、上記読取処理部２１１により上記ＩＣカード７から読み取った入出場情報（通行情報）が正当であるか否かを判定する通行情報判定手段として機能するものである。例えば、上記入出場情報判定部２１３は、当該改札機２が入場側に設置されている場合、上記ＩＣカード７から読み取った入出場情報が出場情報であるか否かを判定する。また、上記入出場情報判定部２１３は、当該改札機２が出場側に設置されている場合、上記ＩＣカード７から読み取った入出場情報が入場情報であるか否かを判定する。なお、入出場情報は、入出場フラグの情報を含んでいる。例えば、入場側の改札機２は、上記ＩＣカード７を改札処理すると、入場している状態を示す為に入出場フラグをセットする。このとき、入出場情報は入場情報となる。また、出場側の改札機２は、上記ＩＣカード７を改札処理すると、出場している状態を示す為に入出場フラグをリセットする。このとき、入出場情報は出場情報となる。上記入出場情報判定部２１３は、上記乳出場フラグを読むことにより、入出場情報が正当であるか否かを判定する。
【００２６】
上記通行判定部２１４は、上記ＩＣカード７から読み取った情報に基づいて利用者の通行の可または不可を判定する処理を行なう通行判定手段として機能するものである。例えば、上記通行判定部２１４では、上記ＩＣカード７から読み取った情報がＳＦデータであれば、残額情報に基づいて精算処理を行ない、利用者の通行の可または不可を判定する。利用者の通行を可と判定した場合、上記通行判定部２１４は、上記通行制御部２５に対してドアを開くよう指示する。また、上記通行判定部２１４は、精算額算出部２１５を有している。上記精算額算出部２１５は、出場時に上記ＩＣカード７に記憶されている入出場情報、および、定期券情報などの情報に基づいて、上記メモリ２２に記憶されている運賃情報などに従って精算額を算出する清算手段として機能するものである。
【００２７】
上記書込処理部２１６は、上記ＩＣカード７に情報を書き込む処理を行なう書込手段として機能するものである。つまり、上記書込処理部２１６は、上記ＩＣカード処理部２４により上記ＩＣカード７に精算処理後の残額情報の金額、および、新たな入出場情報を書き込む処理を行なう。上記書込処理部２１６は、書込判定部２１７を有している。上記書込判定部２１７は、上記ＩＣカード７に情報を書き込む処理が完了したか否かを判定する。つまり、上記書込判定部２１７は、ＩＣカード７に精算処理後の残額情報の金額、および、新たな入出場情報を書き込む処理が完了したか否かを判定する。
【００２８】
上記処理結果送信部２１８は、上記ＩＣカード７に行なった処理の結果を上記サーバ６へ送信するものである。例えば、上記通行判定部２１４により通行不可と判定した場合、上記処理結果送信部２１８は、上記サーバ６へ通行不可を処理結果として送信する。また、上記書込判定部２１７により入出場情報の書き込みが未了であると判定した場合、上記処理結果送信部２１８は、上記サーバ６へ書込未了を処理結果として送信する。また、入出場情報判定部２１３により、入出場情報が不当と判定した場合、上記処理結果送信部２１８は、上記サーバ６へ入出場情報不当を処理結果として送信する。また、上記書込判定部２１７により書き込みが完了したと判定した場合、上記処理結果送信部２１８は、上記サーバ６へ正常終了を処理結果（処理済通知）として送信する。即ち、上記処理結果送信部２１８は、上記サーバ６に処理結果を通知する通知手段として機能する。
【００２９】
次に、上記サーバ６の構成について詳細に説明する。  
図３は、図１に示すサーバ６の構成例を概略的に示すブロック図である。  
図３に示すように、上記サーバ６は、制御部６１、通信部６３、および、記憶部６５などを有している。
【００３０】
上記制御部６１は、上記サーバ６全体の制御を司るものである。上記制御部６１は、ＣＰＵ、上記ＣＰＵの作業領域として機能するバッファメモリ、上記ＣＰＵが実行する種々のプログラムや制御データなどが記憶されているプログラムメモリなどから構成される。上記制御部６１では、ＣＰＵがプログラムを実行することにより種々の機能を実現している。
【００３１】
上記制御部６１は、データベース管理部６２を有している。上記データベース管理部６２は、図１に示す改札機２よりＩＣカード７アクセス情報、および、処理結果を受信すると、上記記憶部６５に受信した上記アクセス情報と上記処理結果とを対応付けてアクセス情報データベース６６に記憶する。例えば、上記データベース管理部６２は、上記識別情報ＩＤｉと、改札駅と、改札日時と、処理結果とを対応付けてアクセス情報データベース６６を作成する。
【００３２】
また、上記データベース管理部６２は、図１に示す窓口端末１よりＩＣカード７の識別情報ＩＤｉのアクセス情報取得要求を受信すると、上記識別情報ＩＤｉを含むアクセス情報を上記アクセス情報データベース６６より検索し、検索したアクセス情報を上記窓口端末１に送信する。ここで、上記識別情報ＩＤｉを含むアクセス情報が見つからなかった場合、上記データベース管理部６２は、上記サーバ６にもアクセス情報が存在しないことを示す警告を上記窓口端末１に送信する。
【００３３】
上記通信部６３は、図１に示すホストコンピュータ５を介してサーバ６とデータの送受信を行なう為の外部通信ユニットである。上記記憶部６５は、上記サーバ６で用いる各種のデータなどを記憶する記憶手段として機能するものである。上記記憶部６５は、アクセス情報データベース６６を有している。アクセス情報データベース６６には、上記アクセス情報と上記処理結果とが対応付けられて記憶されている。
【００３４】
次に、上記サーバ６の記憶部６５のアクセス情報データベース６６の構成例について説明する。  
図４は、上記サーバ６の記憶部６５のアクセス情報データベース６６の構成例を示す図である。  
上記アクセス情報データベース６６には、上記ＩＣカード７の識別情報ＩＤｉと駅名とアクセス日時を含んだアクセス情報に処理結果が対応付けられて記憶されている。
【００３５】
上記識別情報ＩＤｉは、上記ＩＣカード７固有の識別情報である。上記識別情報ＩＤｉは、上記アクセス情報データベース６６の検索を行なう際のインデックスデータとして用いられる。上記駅名は、上記識別情報ＩＤｉを記憶している上記ＩＣカード７を読み取った改札機２が設置されている駅の情報である。アクセス日時は、上記改札機２が上記ＩＣカード７を読み取った時点での日時の情報である。
【００３６】
次に、上記窓口端末１の構成について詳細に説明する。  
図５は、図１に示す窓口端末１の構成例を示すブロック図である。図５に示すように、上記窓口端末１は、制御部１１、ＩＣカード処理部１２、通信部１３、メモリ１４、操作部１５、及び表示部１６などを有している。
【００３７】
上記制御部１１は、上記窓口端末１全体の制御を司るものである。上記制御部１１は、ＣＰＵ、上記ＣＰＵの作業領域として機能するバッファメモリ、上記ＣＰＵが実行する種々のプログラムや制御データなどが記憶されているプログラムメモリなどから構成される。上記制御部１１では、ＣＰＵがプログラムを実行することにより種々の機能を実現している。
【００３８】
上記ＩＣカード処理部１２は、利用者が所持する情報記憶媒体としてのＩＣカード７を処理するものである。上記ＩＣカード処理部１２では、上記制御部１１からの指示に基づいて、上記ＩＣカード７から識別情報ＩＤｉを読み取ったり、上記ＩＣカード７にデータを書き込んだりする。
【００３９】
上記通信部１３は、図１に示すサーバ６とホストコンピュータ５を介してデータや制御信号の送受信を行なう為の外部通信ユニットである。上記メモリ１４は、運賃情報などを記憶している。上記操作部１５は、操作者による操作の入力を受け付けるものである。上記表示部１６は、各種の処理結果などを表示する表示装置などから構成されており、表示手段として機能する。上記操作部１５、及び、上記表示部１６は、たとえば、タッチパネル内蔵の表示装置により構成するようにしても良い。
【００４０】
次に上記制御部１１が有している種々の機能について説明する。  
上記制御部１１は、図５に示すように、読取処理部１１１、アクセス情報取得部１１２、精算額算出部１１３、判定部１１４、書込処理部１１５、および、処理結果送信部１１６などの機能を有している。  
上記読取処理部１１１は、上記ＩＣカード７に記憶されている情報を読み取る処理を行なう読取手段として機能するものである。たとえば、上記読取処理部１１１は、ＩＣカード７に記憶されているカード固有の識別情報ＩＤｉ、残額情報、および、定期券情報などを上記ＩＣカード処理部１２により読み取る処理を行なう。
【００４１】
上記アクセス情報取得部１１２は、上記ＩＣカード７より読み取った識別情報ＩＤｉのアクセス情報取得要求を上記サーバ６に送信し、そのレスポンスとしての識別情報ＩＤｉを含むアクセス情報を取得するアクセス情報取得手段として機能するものである。上記精算額算出部１１３は、上記アクセス情報取得部１１２により取得したアクセス情報、および、上記ＩＣカード７より読み取った定期券情報などの情報に基づいて、上記メモリ１４に記憶されている運賃情報などに従って精算額を算出する清算手段として機能するものである。また、上記制御部１１は、取得したアクセス情報と、算出した精算額とを上記表示部１６に表示させる。
【００４２】
上記判定部１１４は、上記ＩＣカード７から読み取った残額情報の金額と、上記精算額算出部１１３により算出した精算額とを比較し、精算処理が可能か否か判定する。精算処理が不可能、すなわち、残額不足であると判定した場合、上記制御部１１は、アクセス情報と不足金額とを上記表示部１６に表示させる。この表示内容を参照して、駅係員は、利用者に不足金額の支払を促す。
【００４３】
上記書込処理部１１５は、上記ＩＣカード７に情報を書き込む処理を行なうものである。つまり、上記書込処理部１１５は、上記ＩＣカード処理部１２により上記ＩＣカード７に精算処理後の残額情報の金額、および、新たな入出場情報などを書き込む処理を行なう。
【００４４】
上記処理結果送信部１１６は、上記窓口端末１が上記ＩＣカード７に対して行なった処理の処理結果を上記サーバ６へ送信する。例えば、上記書込処理部１１５により情報の書き込みを行なうと、上記処理結果送信部１１６は、当該ＩＣカード７が正常に処理されたことを示す正常終了を処理結果として上記サーバ６へ送信する。
【００４５】
なお、図５では、窓口端末１内の構成例について示したが、精算機４も、上記窓口端末１と同等な構成を設けるようにしても良い。この場合、上記精算機４では、上記窓口端末１の構成による精算処理と同様な精算処理が実現できる。
【００４６】
次に、本実施形態に係るにおける改札処理及び精算処理について概略的に説明する。  
図６は、本実施形態に係るにおいてＩＣカードに対して実行される改札処理及び精算処理を概略的に説明する為の説明図である。図７に示す改札システムでは、上記ＩＣカード７を所持している利用者がＡ駅の改札機２Ａの通行を禁止されたにもかかわらず入場してしまった場合、上記改札機２Ａは、上記ＩＣカード７のアクセス情報を上記サーバ６に送信する。また、改札機２Ａは、上記ＩＣカード７に入出場情報（入場情報）を書き込むことができなかった旨を示す書込未了の処理結果を上記サーバ６に送信する。上記サーバ６は、アクセス情報とともに、書込未了の処理結果を受信すると、受信したアクセス情報と処理結果とを対応付け、データベースに記憶する。
【００４７】
上記のように、入場時に、処理未了であったＩＣカード７には、入場情報が書き込まれていない。このため、上記ＩＣカード７を所持している利用者は、Ｂ駅で改札機２Ｂを通行することができない。この場合、利用者は、窓口へ誘導され、上記ＩＣカード７の提示を求められる。駅係員は図１に示す窓口端末１に利用者が提示した上記ＩＣカード７の識別情報ＩＤｉを読み取らせる。上記窓口端末１は、読み取った識別情報ＩＤｉのアクセス情報取得要求を上記サーバ６に送信する。
【００４８】
上記サーバ６は、識別情報ＩＤｉのアクセス情報取得要求を受信すると、上記識別情報ＩＤｉを含むアクセス情報を上記データベースより検索し、検索したアクセス情報を上記窓口端末１に送信する。上記窓口端末１は、取得したアクセス情報を表示する。駅係員は、上記窓口端末に表示された内容に基づいて、精算処理を行なう。これにより、上記ＩＣカード７に入出場情報が書き込まれていない場合でも、正確な運賃収受を行なうことができる。この為、利用者と駅係員との間に起こるトラブルを軽減することができる。
【００４９】
次に、上記改札機２における改札処理について説明する。  
図７は、上記改札機２における上記ＩＣカード７に基づく改札処理の動作例を説明するためのフローチャートである。なお、ここでは、上記ＩＣカード７を所持する利用者が改札機２より入場する場合を想定するものとする。
【００５０】
まず、利用者が上記ＩＣカード７を上記改札機２のＩＣカード処理部２４に提示すると、上記改札機２の制御部２１は、上記読取処理部２１１により上記ＩＣカード７に記憶されている識別情報ＩＤｉ、残額情報、定期券情報、および、前回改札処理を受けた際の入出場情報（通行情報）などの情報を読み取る（ステップＳ１１）。
【００５１】
上記ＩＣカード７に記憶されている情報を読み取ると、上記改札機２の制御部２１は、今回改札のアクセス情報をアクセス情報送信部２１２により上記サーバ６に送信する（ステップＳ１２）。即ち、アクセス情報送信部２１２は、当該改札機２が設置されている駅及び上記ＩＣカード７を読み取った日時の情報と、上記ＩＣカード７から読み取った上記識別情報ＩＤｉとをアクセス情報として上記サーバ６へ送信する。
【００５２】
アクセス情報を上記サーバ６へ送信すると、上記改札機２の制御部２１は、読み取った入出場情報が正当であるか否かを入出場情報判定部２１３により判定する（ステップＳ１３）。すなわち、上記制御部２１は、読み取った情報が出場情報であり、且つ、完全な状態で書き込まれている出場情報を読み取れたか否かを判定する。
【００５３】
入出場情報が正当ではないと判定した場合（ステップＳ１３、ＮＯ）、上記制御部２１は、表示部２６により利用者を窓口に誘導する画面を表示する（ステップＳ１４）。また、上記制御部２１の通行判定部２１４は、上記ＩＣカード７を所持する利用者の通行を不許可とし、当該利用者が当該改札機２を通行できないように、上記改札機２の通行制御部２５により開閉扉を閉鎖する（ステップＳ１５）。上記ＩＣカード７を所持する利用者の通行を不許可とすると、上記制御部２１の処理結果送信部２１８は、入出場情報が正当では無い旨を示す入出場情報不当を処理結果として上記サーバ６に送信する（ステップＳ１６）。
【００５４】
出場情報が正当であると判定した場合（ステップＳ１２、ＹＥＳ）、上記改札機２の制御部２１は、上記通行判定部２１４により上記ＩＣカード７に記憶されている情報（定期券情報あるいは残額情報）に基づいて利用者の通行の可または不可を判定する（ステップＳ１７）。例えば、上記ＩＣカード７に記憶されている情報が定期券情報である場合、上記通行判定部２１４は、当該改札機２が設置されている駅が上記ＩＣカード７に記憶されている定期券情報の有効区間内か否かにより、利用者の通行の可否を判定する。また、上記ＩＣカード７に記憶されている情報が残額情報（ＳＦデータ）である場合、上記通行判定部２１４は、上記ＩＣカード７に記憶されている残額情報の金額が初乗り料金を満たすか否かにより利用者の通行の可否を判定する。
【００５５】
上記ＩＣカード７を所持する利用者の通行を可と判定した場合（ステップＳ１７、ＹＥＳ）、上記制御部２１は、上記書込処理部２１６により上記ＩＣカード７に今回改札の入場情報を書き込むとともに、残額情報を更新する書込処理を実行する（ステップＳ１８）。上記書込処理部２１６は、入場情報として、当該改札機２が設置されている駅名と上記ＩＣカードを読み取ったアクセス日時とを上記ＩＣカード処理部２４により上記ＩＣカード７に書き込む。上記ＩＣカード７の定期券情報の有効区間外であると判定した場合、さらに、上記書込処理部２１６は、上記ＩＣカード処理部２４により上記ＩＣカード７に記憶されている残額情報を、残額情報の金額から初乗り料金を引いた金額を新たな残額情報として更新する。なお、ＳＦ機能による入場時に初乗料金を引き去る運用形態で無い場合、この処理は省略される。
【００５６】
上記ＩＣカード７に対して書込処理を実行すると、上記制御部２１は、上記書込処理部２１６の書込判定部２１７により、上記書込処理が完了したか否かを判定する（ステップＳ１９）。即ち、書込判定部２１７は、上記ＩＣカード７からの書込処理完了通知に基づいて、最新の残額情報および上記入場情報の書き込みが完了したか否か判定する。
【００５７】
上記書込処理が完了したと判定した場合（ステップＳ１９、ＹＥＳ）、上記制御部２１は、上記表示部２６により上記入場情報と上記残額情報の金額から引き去った引き去り金額と通行許可を示す案内を表示する（ステップＳ２０）。また、上記通行判定部２１４は、上記ＩＣカード７を所持する利用者の通行を許可し、当該利用者が当該改札機２を通行できるように、上記改札機２の通行制御部２５により開閉扉（図示しない）を開放する（ステップＳ２１）。上記ＩＣカード７を所持する利用者の通行を許可すると、上記制御部２１の処理結果送信部２１８は、上記ＩＣカード７に対して正常に改札処理を行なうことができた旨を示す正常終了を処理結果として上記サーバ６に送信する（ステップＳ２２）。
【００５８】
上記ＩＣカード７を所持する利用者の通行を不可と判定した場合（ステップＳ１７、ＮＯ）、上記制御部２１は、上記表示部２６により通行不可を示す警告表示を表示する（ステップＳ２３）。また、上記通行判定部２１４は、上記ＩＣカード７を所持する利用者の通行を不許可とし、当該利用者が当該改札機２を通行できないように、上記改札機２の通行制御部２５により開閉扉を閉鎖する（ステップＳ２４）。上記ＩＣカード７を所持する利用者の通行を不許可とすると、上記制御部２１の処理結果送信部２１８は、上記ＩＣカード７に対して通行を不可と判定したことを示す通行不可を処理結果として上記サーバ６に送信する（ステップＳ２５）。
【００５９】
上記書込処理を完了することができなかったと判定した場合（ステップＳ１９、ＮＯ）、上記制御部２１は、上記表示部２６により上記ＩＣカード７への書込処理が未了であることを示す警告表示を表示する（ステップＳ２６）。また、上記通行判定部２１４は、上記ＩＣカード７を所持する利用者の通行を不許可とし、当該利用者が当該改札機２を通行できないように、上記改札機２の通行制御部２５により開閉扉を閉鎖する（ステップＳ２７）。上記ＩＣカード７を所持する利用者の通行を不許可とすると、上記制御部２１の処理結果送信部２１８は、上記ＩＣカード７に対する書込処理を完了することができなかった旨を示す書込未了を処理結果として上記サーバ６に送信する（ステップＳ２８）。
【００６０】
図８は、上記改札機２における上記ＩＣカード７に基づく改札処理の動作例を説明するためのフローチャートである。なお、ここでは、上記ＩＣカード７を所持する利用者が改札機２より出場する場合を想定するものとする。図８に示すステップＳ３１、Ｓ３２、Ｓ３４乃至Ｓ３６、Ｓ３９、及び、Ｓ４１乃至Ｓ４８は、図７に示すステップＳ１１、Ｓ１２、Ｓ１４乃至Ｓ１６、Ｓ１９、及び、Ｓ２１乃至Ｓ２８と同様な処理であるため、その詳細な説明を省略する。
【００６１】
出場側の改札機２の制御部２１は、ステップＳ３３において、読み取った入出場情報が正当であるか否かを入出場情報判定部２１３により判定する（ステップＳ３３）。すなわち、上記制御部２１は、読み取った情報が入場情報であり、且つ、完全な状態で書き込まれている入場情報を読み取れたか否かを判定する。
【００６２】
また、出場側の改札機２の制御部２１は、ステップＳ３７において、読み取った入場情報と定期券情報に基づいてメモリ２２に記憶されている運賃情報に従って精算額を精算額算出部２１５により算出し、算出した精算額と、上記ＩＣカード７に記憶されている残額情報の金額とに基づいて、利用者の通行の可否を判定する（ステップＳ３７）。
【００６３】
また、出場側の改札機２の制御部２１は、ステップＳ３７において、通行を可と判定すると、上記書込処理部２１６により上記ＩＣカード７に今回改札の出場情報を書き込むとともに、残額情報を更新する書込処理を実行する（ステップＳ３８）。上記書込処理部２１６は、出場情報として、当該改札機２が設置されている駅名と上記ＩＣカードを読み取ったアクセス日時とを上記ＩＣカード処理部２４により上記ＩＣカード７に書き込む。さらに、上記書込処理部２１６は、上記ＩＣカード７に記憶されている残額情報の金額から精算額を引いた金額を新たな残額情報として更新する。
【００６４】
また、出場側の改札機２の制御部２１は、ステップＳ４０において、上記表示部２６により上記出場情報と上記残額情報の金額から引き去った引き去り金額と通行許可を示す案内を表示する（ステップＳ４０）。
【００６５】
次に、上記サーバ６の動作について説明する。  
図９は、上記サーバ６が上記改札機２からのアクセス情報を記録する際の動作を説明するためのフローチャートである。  
上記サーバ６の通信部６３は、図１に示す各駅務機器からのデータの受信を待つ待機状態となっている。ここでは、上記サーバ６の制御部６１は、上記通信部６３により受信したデータが、アクセス情報であるか否かを判定する（ステップＳ５１）。すなわち、上記改札機２のＩＣカード処理部２４により読み取られたＩＣカード７の識別情報ＩＤｉ、上記ＩＣカード７が改札処理を受けた駅の駅名、及び、アクセス日時の情報を受信したか否かを判定する。
【００６６】
上記アクセス情報を受信すると、上記制御部６１は、処理結果を受信したか否かを判定する処理結果の受信待ちの状態となる（ステップＳ５２）。処理結果を受信したと判定すると（ステップＳ５２、ＹＥＳ）、上記制御部６１は、受信した上記アクセス情報と上記処理結果とをデータベース管理部６２により対応付けてアクセス情報データベース６６に書き込む（ステップＳ５３）。アクセス情報データベース６６に書き込むと、上記制御部６１は、ステップＳ５１に移行し、各駅務機器からのデータの受信を待つ待機状態となる。なお、処理結果とは、上記改札機２、若しくは、上記窓口端末１から受信した正常終了、通行不可、書込未了、および、入出場情報不当等の判定結果である。
【００６７】
ステップＳ５２において、処理結果を受信していないと判定すると（ステップＳ５２、ＮＯ）、上記制御部６１は、上記アクセス情報を受信してから所定時間が経過したか否かを判定する（ステップＳ５４）。所定時間が経過していないと判定した場合（ステップＳ５４、ＮＯ）、上記制御部６１は、ステップＳ５２に移行し、処理結果の受信待ちの状態となる。所定時間が経過したと判定した場合（ステップＳ５４、ＹＥＳ）、上記制御部６１は、受信した上記アクセス情報と処理結果を受信していない旨とをデータベース管理部６２により対応付けてアクセス情報データベース６６に書き込む（ステップＳ５５）。アクセス情報データベース６６に書き込むと、上記制御部６１は、ステップＳ５１に移行し、各駅務機器からのデータの受信を待つ待機状態となる。
【００６８】
次に、上記窓口端末１における精算処理について説明する。  
図１０は、上記窓口端末１における上記ＩＣカード７に基づく精算処理の動作例を説明するためのフローチャートである。なお、ここでは、利用者の所持するＩＣカード７は、改札機２により入出場情報が書き込まれていない状態となっている場合を想定するものとする。この場合、上記ＩＣカード７を所持している利用者は、改札機２によって通行を阻止され、窓口に向かうように促される。
【００６９】
駅の窓口において、駅係員（上記窓口端末１の操作者）は、利用者から上記ＩＣカード７を受け取る。駅係員は、上記窓口端末１のＩＣカード処理部１２に受け取った上記ＩＣカード７を提示する。上記ＩＣカード７が上記ＩＣカード処理部１２に提示されると、上記窓口端末１の制御部１１は、読取処理部１１１により上記ＩＣカード７に記憶されている情報を読み取る（ステップＳ６１）。即ち、読取処理部１１１は、上記ＩＣカード７から識別情報ＩＤｉ、残額情報、および、定期券情報などの情報を読み取る。
【００７０】
上記ＩＣカード７に記憶されている情報を読み取ると、上記窓口端末１の制御部１１は、アクセス情報取得部１１２により上記識別情報ＩＤｉとアクセス情報取得要求とを上記サーバ６に送信する（ステップＳ６２）。上記サーバ６に上記識別情報ＩＤｉとアクセス情報取得要求とを送信すると、上記制御部１１は、上記サーバ６からのレスポンスを待つ待機状態となる。上記サーバ６からレスポンスとしてのデータを受信すると、上記制御部１１は、受信したデータが上記識別情報ＩＤｉを含んだアクセス情報であるか否か判定する（ステップＳ６３）。
【００７１】
受信したデータが上記識別情報ＩＤｉを含んだアクセス情報ではないと判定した場合（ステップＳ６３、ＮＯ）、上記制御部１１は、受信したデータが警告であるか否か判定する（ステップ６４）。受信したデータが警告であると判定した場合（ステップＳ６４、ＹＥＳ）、上記サーバ６にもアクセス情報が無い為、上記制御部１１は、上記窓口端末１の表示部１６により精算処理が不可能である旨を示す警告表示を表示する（ステップＳ６５）。
【００７２】
受信したデータが上記識別情報ＩＤｉを含んだアクセス情報であると判定した場合（ステップＳ６３、ＹＥＳ）、上記制御部１１は、受信したアクセス情報を上記表示部１６により表示する（ステップＳ６６）。アクセス情報を表示すると、上記制御部１１は、受信したアクセス情報と読み取った定期券情報とに基づいて、精算額算出部１１３により精算額を算出する（ステップＳ６７）。
【００７３】
精算額を算出すると、上記制御部１１は、算出した精算額を上記ＩＣカード７の残額情報により精算するか、現金により精算するかを選択させる表示を上記表示部１６により表示する（ステップＳ６８）。ここで、駅係員は、利用者にどちらの方法で精算するかを尋ね、利用者の要求に応じて精算方法を選択する。上記ＩＣカード７の残額情報による精算を選択すると（ステップＳ６８、ＹＥＳ）、上記制御部１１は、判定部１１４により上記ＩＣカード７に記憶されている残額情報に基づいて精算処理が可能であるか否かを判定する（ステップＳ６９）。即ち、上記制御部１１は、上記ＩＣカード７より読み取った残額情報の金額が算出した精算額を満たすか否か判定する。
【００７４】
ステップＳ６８において現金による精算を選択した場合（ステップＳ６８、ＹＥＳ）、若しくは、ステップＳ６９において精算処理が不可能であると判定した場合（ステップＳ６９）、上記制御部１１は、不足金額を上記窓口端末１の表示部１６に表示する（ステップＳ７０）。この場合、駅係員は、利用者に不足金額の支払いを求め、人手により精算処理を行なう（ステップＳ７１）。
【００７５】
精算処理が可能であると判定した場合（ステップＳ６９、ＹＥＳ）、若しくは、人手により精算処理を行なった場合、上記制御部１１は、今回改札の入出場情報を書き込むとともに、残額情報を更新する書込処理を実行する（ステップＳ７２）。上記ＩＣカード７に対して書込処理を実行すると、上記制御部１１は、上記表示部１６により上記残額情報の金額から引き去った引き去り金額を表示する（ステップＳ７３）。また、上記ＩＣカード７に対して書込処理を実行すると、上記制御部２１の処理結果送信部１１６は、上記ＩＣカード７に対して正常に精算処理を行なうことができた旨を示す正常終了を処理結果として上記サーバ６に送信する（ステップＳ７４）。
【００７６】
上述したように、本発明の一実施形態によると、ＩＣカードに入場情報、あるいは、出場情報を書き込む処理が未完了の状態で上記ＩＣカードを所持する利用者が改札機を通過してしまった場合、改札機は、当該改札機が上記ＩＣカードを読み取ったことを示すアクセス情報と処理結果としての処理が未完了であることを示す情報とをサーバへ送信する。上記サーバは、上記アクセス情報と上記処理結果とを受信すると、受信した上記アクセス情報と上記処理結果とを対応付けて記憶する。
【００７７】
上記ＩＣカードが次に改札処理を受ける場合、上記ＩＣカードに正当なアクセス情報が記憶されていない為、改札機は、上記ＩＣカードを所持する利用者の通行を阻止し、窓口にて処理を行なうよう利用者に促す。窓口にて、駅係員は利用者が提示した上記ＩＣカードを窓口端末に読み取らせる。窓口端末は、上記ＩＣカードより読み取った識別情報を含むアクセス情報を上記サーバより取得し、取得したアクセス情報等に基づいて精算処理を行なう。これにより、上記ＩＣカードに入場情報、あるいは、出場情報が書き込まれていない場合でも、正確なアクセス情報を容易に確認することができ、確実な運賃収受を行なうことができる改札システム及び改札方法を提供することができる。この結果として、利用者と駅係員との間に起こるトラブルを防止することも可能となる。
【００７８】
次に、この発明の第２実施形態に係る改札システム及び改札方法について図面を参照して説明する。  
図１１は、この発明の第２実施形態に係る改札機の構成例を示す図である。なお、図１１に示す改札機８において、図２に示す改札機２と同様な構成の部分には、同一の参照符号を付し、詳細な説明を省略する。
【００７９】
上記改札機８の上記制御部８１は、アクセス情報取得部８１９を有している。上記アクセス情報取得部８１９は、上記制御部８１の読取処理部２１１の入出場情報判定部２１３により入出場情報が正当でないと判定した場合、読み取った前記識別情報ＩＤｉを含むアクセス情報を上記サーバ６から取得するアクセス情報取得手段として機能するものである。即ち、上記アクセス情報取得部８１９は、上記ＩＣカード７より読み取った識別情報ＩＤｉのアクセス情報取得要求を上記サーバ６に送信し、そのレスポンスとして、識別情報ＩＤｉを含むアクセス情報を上記サーバ６から取得する。
【００８０】
次に、上記改札機８における改札処理について説明する。  
図１２及び図１３は、上記改札機８における上記ＩＣカード７に基づく改札処理の動作例を説明するためのフローチャートである。ここでは、上記ＩＣカード７を所持する利用者が改札機８より入場する場合を想定するものとする。なお、図１２に示すステップＳ８４乃至ステップＳ９５は、図７に示すステップＳ１７乃至ステップＳ２８と同様の動作であるので、説明を省略する。
【００８１】
まず、利用者が上記ＩＣカード７を上記改札機８のＩＣカード処理部２４に提示すると、上記改札機８の制御部８１は、上記読取処理部２１１により上記ＩＣカード７に記憶されている識別情報ＩＤｉ、残額情報、定期券情報、および、前回改札処理を受けた際の入出場情報（通行情報）などの情報を読み取る（ステップＳ８１）。
【００８２】
上記ＩＣカード７に記憶されている情報を読み取ると、上記改札機８の制御部８１は、今回改札のアクセス情報をアクセス情報送信部２１２により上記サーバ６に送信する（ステップＳ８２）。即ち、アクセス情報送信部２１２は、当該改札機８が設置されている駅及び上記ＩＣカード７を読み取った日時の情報と、上記ＩＣカード７から読み取った上記識別情報ＩＤｉとをアクセス情報として上記サーバ６へ送信する。
【００８３】
アクセス情報を上記サーバ６へ送信すると、上記改札機８の制御部８１は、読み取った入出場情報が正当であるか否かを入出場情報判定部２１３により判定する（ステップＳ８３）。すなわち、上記制御部８１は、読み取った情報が出場情報であり、且つ、完全な状態で書き込まれている出場情報を読み取れたか否かを判定する。
【００８４】
出場情報が正当であると判定した場合（ステップＳ８３、ＹＥＳ）、上記制御部８１は、ステップＳ８４に移行し、以下、図７に示すステップＳ１７乃至ステップＳ２８と同様の動作を行なう（ステップＳ８４乃至Ｓ９５）。
【００８５】
出場情報が正当ではないと判定した場合（ステップＳ８３、ＮＯ）、上記制御部８１は、図１３のステップＳ１０１に処理へ移行する。上記制御部８１は、上記ＩＣカード７から読み取った上記識別情報ＩＤｉのアクセス情報取得要求をアクセス情報取得部８１９により上記サーバ６に送信する（ステップＳ１０１）。上記サーバ６に上記識別情報ＩＤｉのアクセス情報取得要求を送信すると、上記制御部８１は、上記サーバ６からのレスポンスを待つ待機状態となる。上記サーバ６からレスポンスとしての識別情報ＩＤｉを含むアクセス情報を受信すると、上記制御部８１は、受信したアクセス情報が上記ＩＣカード７から読み取った識別情報ＩＤｉを含むアクセス情報であるか否か判定する（ステップＳ１０２）。受信したデータが上記識別情報ＩＤｉを含むアクセス情報であると判定した場合（ステップＳ１０２、ＹＥＳ）、上記制御部８１は、受信したアクセス情報に基づいて出場情報を判定し（ステップＳ１０３）、図１２のステップＳ８４に移行する。
【００８６】
ステップＳ１０２において、受信したデータが上記識別情報ＩＤｉを含むアクセス情報ではないと判定した場合（ステップＳ１０２、ＮＯ）、上記制御部８１は、受信したデータが警告であるか否か判定する（ステップ１０４）。受信したデータが警告であると判定した場合（ステップＳ１０４、ＹＥＳ）、上記制御部８１は、上記サーバ６に上記識別情報ＩＤｉを含むアクセス情報が無い為、上記制御部８１は、上記改札機８の表示部２６により精算処理が不可能である旨を示す警告表示を表示する（ステップＳ１０５）。また、上記改札機８の上記通行判定部２１４は、上記ＩＣカード７を所持する利用者の通行を不許可とし、当該利用者が当該改札機８を通行できないように、上記改札機８の通行制御部２５により開閉扉（図示しない）を閉鎖する（ステップＳ１０６）。
【００８７】
図１４及び図１５は、上記改札機８における上記ＩＣカード７に基づく改札処理の動作例を説明するためのフローチャートである。ここでは、上記ＩＣカード７を所持する利用者が改札機８より出場する場合を想定するものとする。なお、図１４に示すステップＳ１１４乃至ステップＳ１２５は、図８に示すステップＳ３７乃至ステップＳ４８と同様の動作であるので、説明を省略する。
【００８８】
まず、利用者が上記ＩＣカード７を上記改札機８のＩＣカード処理部２４に提示すると、上記改札機８の制御部８１は、上記読取処理部２１１により上記ＩＣカード７に記憶されている識別情報ＩＤｉ、残額情報、定期券情報、および、前回改札処理を受けた際の入出場情報（通行情報）などの情報を読み取る（ステップＳ１１１）。
【００８９】
上記ＩＣカード７に記憶されている情報を読み取ると、上記改札機８の制御部８１は、今回改札のアクセス情報をアクセス情報送信部２１２により上記サーバ６に送信する（ステップＳ１１２）。即ち、アクセス情報送信部２１２は、当該改札機８が設置されている駅及び上記ＩＣカード７を読み取った日時の情報と、上記ＩＣカード７から読み取った上記識別情報ＩＤｉとをアクセス情報として上記サーバ６へ送信する。
【００９０】
アクセス情報を上記サーバ６へ送信すると、上記改札機８の制御部８１は、読み取った入出場情報が正当であるか否かを入出場情報判定部２１３により判定する（ステップＳ１１３）。すなわち、上記制御部８１は、読み取った情報が入場情報であり、且つ、完全な状態で書き込まれている入場情報を読み取れたか否かを判定する。
【００９１】
入場情報が正当であると判定した場合（ステップＳ１１３、ＹＥＳ）、上記制御部８１は、ステップＳ１１４に移行し、以下、図８に示すステップＳ３７乃至ステップＳ４８と同様の動作を行なう（ステップＳ１１４乃至Ｓ１２５）。
【００９２】
入場情報が正当ではないと判定した場合（ステップＳ１１３、ＮＯ）、上記制御部８１は、図１５のステップＳ１３１に処理へ移行する。上記制御部８１は、上記ＩＣカード７から読み取った上記識別情報ＩＤｉのアクセス情報取得要求をアクセス情報取得部８１９により上記サーバ６に送信する（ステップＳ１３１）。上記サーバ６に上記識別情報ＩＤｉのアクセス情報取得要求を送信すると、上記制御部８１は、上記サーバ６からのレスポンスを待つ待機状態となる。上記サーバ６からレスポンスとしての識別情報ＩＤｉを含むアクセス情報を受信すると、上記制御部８１は、受信したアクセス情報が上記ＩＣカード７から読み取った識別情報ＩＤｉを含むアクセス情報であるか否か判定する（ステップＳ１３２）。受信したデータが上記識別情報ＩＤｉを含むアクセス情報であると判定した場合（ステップＳ１３２、ＹＥＳ）、上記制御部８１は、受信したアクセス情報に基づいて入場情報を判定し（ステップＳ１３３）、図１４のステップＳ１１４に移行する。
【００９３】
ステップＳ１３２において、受信したデータが上記識別情報ＩＤｉを含むアクセス情報ではないと判定した場合（ステップＳ１３２、ＮＯ）、上記制御部８１は、受信したデータが警告であるか否か判定する（ステップ１３４）。受信したデータが警告であると判定した場合（ステップＳ１３４、ＹＥＳ）、上記制御部８１は、上記サーバ６に上記識別情報ＩＤｉを含むアクセス情報が無い為、上記制御部８１は、上記改札機８の表示部２６により精算処理が不可能である旨を示す警告表示を表示する（ステップＳ１３５）。また、上記改札機８の上記通行判定部２１４は、上記ＩＣカード７を所持する利用者の通行を不許可とし、当該利用者が当該改札機８を通行できないように、上記改札機８の通行制御部２５により開閉扉（図示しない）を閉鎖する（ステップＳ１３６）。
【００９４】
上述したように、本発明の一実施形態によると、ＩＣカードに入場情報、あるいは、出場情報を書き込む処理が未完了の状態で上記ＩＣカードを所持する利用者が改札機を通過してしまった場合、改札機は、上記ＩＣカードより読み取った識別情報を含むアクセス情報を上記サーバより取得し、取得したアクセス情報に基づいて精算処理を行なう。これにより、上記ＩＣカードに入場情報、あるいは、出場情報が書き込まれていない場合でも、正確なアクセス情報を容易に確認し、自動的に確実な精算処理を行なうことができる改札システム及び改札方法を提供することができる。この結果として、利用者と駅係員との間に起こるトラブルを防止することも可能となる。この結果として、正確な運賃収受を行なうことができる改札システム及び改札方法を提供することができる。
【００９５】
第２の実施形態において説明したものの他の構成は前述した第１の実施形態と同一であり、同一の部分には同一の参照符号を付してその詳細な説明を省略した。そして、第２の実施形態においても、第１の実施形態と同様の作用効果を得ることができる。
【００９６】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００９７】
上記実施形態では情報記憶媒体は定期券情報、ＳＦデータなどを記憶したＩＣカードとして説明した。しかし、情報記憶媒体は、これに限らず、例えば乗車券としての機能を有する携帯電話のように、情報を記憶する為のメモリと、改札機との通信手段とを有するものであれば、本発明は適用され得る。
【図面の簡単な説明】
【００９８】
【図１】本発明に係る種々の駅務機器から構成される駅務システムの構成例を示す図。
【図２】第１実施形態に係る改札機の構成例を示すブロック図。
【図３】図１に示すサーバの構成例を概略的に示すブロック図。
【図４】図１に示すサーバに記憶されるアクセス情報データベースの構成例を示す図。
【図５】図１に示す窓口端末の構成例を示すブロック図。
【図６】本発明の改札システムにおいてＩＣカードに対して実行される改札処理及び精算処理を概略的に説明する為の説明図。
【図７】図２に示す改札機におけるＩＣカードに基づく改札処理の動作例を説明するためのフローチャート。
【図８】図２に示す改札機におけるＩＣカードに基づく改札処理の動作例を説明するためのフローチャート。
【図９】図３に示すサーバにおけるアクセス情報データベースを作成する際の動作を説明するためのフローチャート。
【図１０】図５に示す窓口端末におけるＩＣカードに基づく精算処理の動作例を説明するためのフローチャート。
【図１１】第２実施形態に係る改札機の構成例を示すブロック図。
【図１２】図１１に示す改札機におけるＩＣカードに基づく入場の際の改札処理の動作例を説明するためのフローチャート。
【図１３】図１１に示す改札機におけるＩＣカードに基づく入場の際の改札処理の動作例を説明するためのフローチャート。
【図１４】図１１に示す改札機におけるＩＣカードに基づく出場の際の改札処理の動作例を説明するためのフローチャート。
【図１５】図１１に示す改札機におけるＩＣカードに基づく出場の際の改札処理の動作例を説明するためのフローチャート。
【符号の説明】
【００９９】
１…窓口端末、２…改札機、６…サーバ、７…ＩＣカード、８…改札機、１２…ＩＣカード処理部、１３…通信部、１６…表示部、２３…通信部、２４…ＩＣカード処理部、２６…表示部、６２…データベース管理部、６３…通信部、６５…記憶部、６６…アクセス情報データベース、１１１…読取処理部、１１２…アクセス情報取得部、１１３…精算額算出部、１１４…判定部、１１５…書込処理部、１１６…処理結果送信部、２１１…読取処理部、２１２…アクセス情報送信部、２１３…入出場情報判定部、２１４…通行判定部、２１５…精算額算出部、２１６…書込処理部、２１７…書込判定部、２１８…処理結果送信部、８１９…アクセス情報取得部。
【図１】
2008257283.tif 000003
【図２】
2008257283.tif 000004
【図３】
2008257283.tif 000005
【図４】
2008257283.tif 000006
【図５】
2008257283.tif 000007
【図６】
2008257283.tif 000008
【図７】
2008257283.tif 000009
【図８】
2008257283.tif 000010
【図９】
2008257283.tif 000011
【図１０】
2008257283.tif 000012
【図１１】
2008257283.tif 000013
【図１２】
2008257283.tif 000014
【図１３】
2008257283.tif 000015
【図１４】
2008257283.tif 000016
【図１５】
2008257283.tif 000017